(57)【特許請求の範囲】
【請求項１】
携帯端末と、
前記携帯端末からの要求に基づいて利用者の周辺情報を検索する周辺情報検索装置とを備え、
前記携帯端末は、
利用者の位置を示す情報である位置情報を検知する位置検知手段と、
利用者の移動状態を認定する移動状態認定手段と、
利用者の向いている方角を示す情報である方角情報を検知する方角検知手段と、
少なくとも前記位置情報を前記周辺情報検索装置に送信する情報送信手段と、
利用者による自携帯端末の操作の有無を検知する操作検知手段とを含み、
前記周辺情報検索装置は、
前記携帯端末から受信した位置情報に基づいて周辺情報を検索する検索範囲を決定し、当該検索範囲に含まれる周辺情報を検索する周辺情報検索手段を含み、
前記携帯端末の情報送信手段は、利用者が移動していない状態である停止状態を前記移動状態認定手段が認定し、前記操作検知手段が予め定めた時間に亘って操作を検知しなかった場合に、前記位置情報および前記方角情報を前記周辺情報検索装置に送信し、
前記周辺情報検索装置の周辺情報検索手段は、前記方角情報が示す方角の検索範囲が他の方角よりも広くなるように検索範囲を決定する
ことを特徴とする周辺情報検索システム。
【請求項２】
携帯端末と、
前記携帯端末からの要求に基づいて利用者の周辺情報を検索する周辺情報検索装置とを備え、
前記携帯端末は、
利用者の位置を示す情報である位置情報を検知する位置検知手段と、
利用者の移動状態を認定する移動状態認定手段と、
利用者の向いている方角を示す情報である方角情報を検知する方角検知手段と、
少なくとも前記位置情報に基づいて、周辺情報を検索する検索範囲を決定する検索範囲決定手段と、
前記検索範囲を前記周辺情報検索装置に送信する検索範囲送信手段と、
利用者による自携帯端末の操作の有無を検知する操作検知手段とを含み、
前記周辺情報検索装置は、
前記携帯端末から受信した検索範囲に含まれる周辺情報を検索する検索手段を含み、
前記携帯端末の検索範囲決定手段は、利用者が移動していない状態である停止状態を前記移動状態認定手段が認定し、前記操作検知手段が予め定めた時間に亘って操作を検知しなかった場合に、前記位置情報および方角情報に基づき、前記方角情報が示す方角の検索範囲が他の方角よりも広くなるように検索範囲を決定する
ことを特徴とする周辺情報検索システム。
【請求項３】
利用者の位置を示す情報である位置情報を検知する位置検知手段と、
利用者の移動状態を認定する移動状態認定手段と、
利用者の向いている方角を示す情報である方角情報を検知する方角検知手段と、
他の装置から受信した位置情報に基づいて利用者の周辺情報を検索する周辺情報検索装置に少なくとも前記位置情報を送信する情報送信手段と、
利用者による自携帯端末の操作の有無を検知する操作検知手段とを備え、
前記情報送信手段は、利用者が移動していない状態である停止状態を前記移動状態認定手段が認定し、前記操作検知手段が予め定めた時間に亘って操作を検知しなかった場合に、前記位置情報および前記方角情報を前記周辺情報検索装置に送信する
ことを特徴とする携帯端末。
【請求項４】
利用者の位置を示す情報である位置情報を検知する位置検知手段と、
利用者の移動状態を認定する移動状態認定手段と、
利用者の向いている方角を示す情報である方角情報を検知する方角検知手段と、
少なくとも前記位置情報に基づいて周辺情報を検索する検索範囲を決定する検索範囲決定手段と、
他の装置からの要求に基づいて利用者の周辺情報を検索する周辺情報検索装置に前記検索範囲を送信する検索範囲送信手段と、
利用者による自携帯端末の操作の有無を検知する操作検知手段とを備え、
前記検索範囲決定手段は、利用者が移動していない状態である停止状態を前記移動状態認定手段が認定し、前記操作検知手段が予め定めた時間に亘って操作を検知しなかった場合に、前記位置情報および方角情報に基づき、前記方角情報が示す方角の検索範囲が他の方角よりも広くなるように検索範囲を決定する
ことを特徴とする携帯端末。
【請求項５】
携帯端末が、少なくとも利用者の位置を示す情報である位置情報を検知して、利用者の周辺情報を検索する周辺情報検索装置に当該位置情報を送信し、
前記周辺情報検索装置が、前記携帯端末から受信した位置情報に基づいて周辺情報を検索する検索範囲を決定し、
前記周辺情報検索装置が、前記検索範囲に含まれる周辺情報を検索し、
前記携帯端末が、利用者が移動していない状態である停止状態を認定し、予め定めた時間に亘って操作を検知しなかった場合に、利用者の向いている方角を示す情報である方角情報を検知して、当該方角情報および前記位置情報を前記周辺情報検索装置に送信し、
前記周辺情報検索装置が、前記方角情報が示す方角の検索範囲が他の方角よりも広くなるように検索範囲を決定する
ことを特徴とする周辺情報検索方法。
【請求項６】
携帯端末が、少なくとも利用者の位置を示す情報である位置情報を検知し、
前記携帯端末が、前記位置情報に基づいて周辺情報を検索する検索範囲を決定し、
前記携帯端末が、他の装置からの要求に基づいて利用者の周辺情報を検索する周辺情報検索装置に前記検索範囲を送信し、
前記携帯端末が、利用者が移動していない状態である停止状態を認定し、予め定めた時間に亘って操作を検知しなかった場合に、利用者の向いている方角を示す情報である方角情報を検知し、
前記携帯端末が、前記位置情報および方角情報に基づき、前記方角情報が示す方角の検索範囲が他の方角よりも広くなるように検索範囲を決定する
ことを特徴とする周辺情報検索方法。
【請求項７】
コンピュータに、
少なくとも利用者の位置を示す情報である位置情報に基づいて周辺情報を検索する検索範囲を決定する検索範囲決定処理、および、
他の装置からの要求に基づいて利用者の周辺情報を検索する周辺情報検索装置に前記検索範囲を送信する検索範囲送信処理を実行させ、
前記検索範囲決定処理で、利用者が移動していない状態である停止状態を認定し、予め定めた時間に亘って操作が検知されなかった場合に、前記位置情報および方角情報に基づき、前記方角情報が示す方角の検索範囲が他の方角よりも広くなるように検索範囲を決定させる
ための周辺情報検索プログラム。
【発明の詳細な説明】
【技術分野】
【０００１】
本発明は、携帯端末等の利用者に提供する周辺情報を検索する周辺情報検索装置、周辺情報検索システム、携帯端末、周辺情報検索方法および周辺情報検索プログラムに関する。
【背景技術】
【０００２】
携帯端末向けのＧＰＳ（Global Positioning System ）から取得できる位置情報を利用した周辺情報サービスや、拡張現実サービスが増えつつある。
【０００３】
特許文献１には、利用者が今後必要とする情報を容易に得ることができる情報検索配信装置が記載されている。特許文献１に記載された情報検索配信装置では、移動通信端末の移動速度が速い場合に、移動速度が遅い場合よりも情報検索範囲を広く設定する。また、特許文献１に記載された情報検索配信装置では、移動通信端末の進行方向が分かる場合、情報検索範囲を進行方向側に広く設定する。
【０００４】
なお、特許文献２には、歩行停止中に生じる携帯端末装置の現在位置測位誤差に基づく位置の表示揺らぎを防止する歩行者ナビゲーションシステムが記載されている。特許文献２に記載されたシステムでは、歩行停止状態を検出すると、表示手段に表示される現在位置を一定の位置に固定する。
【先行技術文献】
【特許文献】
【０００５】
【特許文献１】特開平１１−５１６６６号公報
【特許文献２】特開２００７−２４７００号公報
【発明の概要】
【発明が解決しようとする課題】
【０００６】
位置情報に基づく地域情報や周辺情報は、通信ネットワークを介してデータセンタなどから取得されることが多い。一方、コンピュータグラフィックスや画像などがコンテンツとして用いられることが多く、そのコンテンツのデータ容量が大きくなる傾向もある。また、ＨＭＤ（Head Mounted Display）などが今後普及した場合、コンテンツをディスプレイ表示するために、データ通信が常時行われる状況が多発する可能性もある。
【０００７】
通信網の効率的な利用や、検索情報の最適化を図るためには、周辺情報検索の通信頻度や通信量を適正化することが必要である。そのためには、検索範囲をある程度絞り込むことや、状況に応じて検索範囲を広げることが重要になる。一方で、データを常時確認する必要がある場合、利用者に対してその都度操作を要求することは非効率であり、利用者に対するサービス普及の妨げにもなりかねない。
【０００８】
例えば、特許文献２に記載された一般的なシステムでは、位置情報に基づく周辺情報を検索する場合、位置情報に基づいて一定範囲の情報が検索される。しかし、検索した範囲に情報に該当する情報が存在しない場合、利用者は、検索範囲を広げるための操作を行い、再度検索要求を行う必要がある。
【０００９】
このような利用者の操作負荷を回避するため、システム側で予め範囲を広げて検索する方法も考えられる、しかし、上述するように、検索処理や結果データ量の増加にともなう通信頻度の増大が問題になる。
【００１０】
特許文献１に記載された情報検索配信装置を用いることで、周辺情報の検索範囲を適宜変更することは可能である。しかし、特許文献１に記載された情報検索配信装置は、利用者の移動速度や移動する進行方向に基づいて検索範囲を変更するため、利用者が停止状態で周辺情報を検索する場合、周辺情報の範囲を適切に決定できるとは言い難い。また、利用者が移動しなければ適切に周辺情報を提供できないとすると、利用者に対して負担をかけてしまうという問題もある。
【００１１】
そこで、本発明は、利用者が移動していない場合であっても、利用者に負担をかけることなく、適切な範囲の周辺情報を検索できる周辺情報検索装置、周辺情報検索システム、携帯端末、周辺情報検索方法および周辺情報検索プログラムを提供することを目的とする。
【課題を解決するための手段】
【００１３】
本発明による周辺情報検索システムは、携帯端末と、携帯端末からの要求に基づいて利用者の周辺情報を検索する周辺情報検索装置とを備え、携帯端末が、利用者の位置を示す情報である位置情報を検知する位置検知手段と、利用者の移動状態を認定する移動状態認定手段と、利用者の向いている方角を示す情報である方角情報を検知する方角検知手段と、少なくとも位置情報を周辺情報検索装置に送信する情報送信手段と、利用者による自携帯端末の操作の有無を検知する操作検知手段とを含み、周辺情報検索装置が、携帯端末から受信した位置情報に基づいて周辺情報を検索する検索範囲を決定し、当該検索範囲に含まれる周辺情報を検索する周辺情報検索手段を含み、携帯端末の情報送信手段が、利用者が移動していない状態である停止状態を移動状態認定手段が認定し、操作検知手段が予め定めた時間に亘って操作を検知しなかった場合に、位置情報および方角情報を周辺情報検索装置に送信し、周辺情報検索装置の周辺情報検索手段が、方角情報が示す方角の検索範囲が他の方角よりも広くなるように検索範囲を決定することを特徴とする。
【００１４】
本発明による他の周辺情報検索システムは、携帯端末と、携帯端末からの要求に基づいて利用者の周辺情報を検索する周辺情報検索装置とを備え、携帯端末が、利用者の位置を示す情報である位置情報を検知する位置検知手段と、利用者の移動状態を認定する移動状態認定手段と、利用者の向いている方角を示す情報である方角情報を検知する方角検知手段と、少なくとも位置情報に基づいて、周辺情報を検索する検索範囲を決定する検索範囲決定手段と、検索範囲を周辺情報検索装置に送信する検索範囲送信手段と、利用者による自携帯端末の操作の有無を検知する操作検知手段とを含み、周辺情報検索装置が、携帯端末から受信した検索範囲に含まれる周辺情報を検索する検索手段を含み、携帯端末の検索範囲決定手段は、利用者が移動していない状態である停止状態を移動状態認定手段が認定し、操作検知手段が予め定めた時間に亘って操作を検知しなかった場合に、位置情報および方角情報に基づき、方角情報が示す方角の検索範囲が他の方角よりも広くなるように検索範囲を決定することを特徴とする。
【００１５】
本発明による携帯端末は、利用者の位置を示す情報である位置情報を検知する位置検知手段と、利用者の移動状態を認定する移動状態認定手段と、利用者の向いている方角を示す情報である方角情報を検知する方角検知手段と、他の装置から受信した位置情報に基づいて利用者の周辺情報を検索する周辺情報検索装置に少なくとも位置情報を送信する情報送信手段と、利用者による自携帯端末の操作の有無を検知する操作検知手段とを備え、情報送信手段が、利用者が移動していない状態である停止状態を移動状態認定手段が認定し、操作検知手段が予め定めた時間に亘って操作を検知しなかった場合に、位置情報および方角情報を周辺情報検索装置に送信することを特徴とする。
【００１６】
本発明による他の携帯端末は、利用者の位置を示す情報である位置情報を検知する位置検知手段と、利用者の移動状態を認定する移動状態認定手段と、利用者の向いている方角を示す情報である方角情報を検知する方角検知手段と、少なくとも位置情報に基づいて周辺情報を検索する検索範囲を決定する検索範囲決定手段と、他の装置からの要求に基づいて利用者の周辺情報を検索する周辺情報検索装置に検索範囲を送信する検索範囲送信手段と、利用者による自携帯端末の操作の有無を検知する操作検知手段とを備え、検索範囲決定手段が、利用者が移動していない状態である停止状態を移動状態認定手段が認定し、操作検知手段が予め定めた時間に亘って操作を検知しなかった場合に、位置情報および方角情報に基づき、方角情報が示す方角の検索範囲が他の方角よりも広くなるように検索範囲を決定することを特徴とする。
【００１８】
本発明による他の周辺情報検索方法は、携帯端末が、少なくとも利用者の位置を示す情報である位置情報を検知して、利用者の周辺情報を検索する周辺情報検索装置に当該位置情報を送信し、周辺情報検索装置が、携帯端末から受信した位置情報に基づいて周辺情報を検索する検索範囲を決定し、周辺情報検索装置が、検索範囲に含まれる周辺情報を検索し、携帯端末が、利用者が移動していない状態である停止状態を認定し、予め定めた時間に亘って操作を検知しなかった場合、利用者の向いている方角を示す情報である方角情報を検知して、当該方角情報および位置情報を周辺情報検索装置に送信し、周辺情報検索装置が、方角情報が示す方角の検索範囲が他の方角よりも広くなるように検索範囲を決定することを特徴とする。
【００１９】
本発明によるさらに他の周辺情報検索方法は、携帯端末が、少なくとも利用者の位置を示す情報である位置情報を検知し、携帯端末が、位置情報に基づいて周辺情報を検索する検索範囲を決定し、携帯端末が、他の装置からの要求に基づいて利用者の周辺情報を検索する周辺情報検索装置に検索範囲を送信し、携帯端末が、利用者が移動していない状態である停止状態を認定し、予め定めた時間に亘って操作を検知しなかった場合に、利用者の向いている方角を示す情報である方角情報を検知し、携帯端末が、位置情報および方角情報に基づき、方角情報が示す方角の検索範囲が他の方角よりも広くなるように検索範囲を決定することを特徴とする。
【００２１】
本発明による周辺情報検索プログラムは、コンピュータに、少なくとも利用者の位置を示す情報である位置情報に基づいて周辺情報を検索する検索範囲を決定する検索範囲決定処理、および、他の装置からの要求に基づいて利用者の周辺情報を検索する周辺情報検索装置に検索範囲を送信する検索範囲送信処理を実行させ、検索範囲決定処理で、利用者が移動していない状態である停止状態を認定し、予め定めた時間に亘って操作が検知されなかった場合に、位置情報および方角情報に基づき、方角情報が示す方角の検索範囲が他の方角よりも広くなるように検索範囲を決定させることを特徴とする。
【発明の効果】
【００２２】
本発明によれば、利用者が移動していない場合であっても、利用者に負担をかけることなく、適切な範囲の周辺情報を検索できる。
【図面の簡単な説明】
【００２３】
【図１】本発明の第１の実施形態における周辺情報検索システムの例を示すブロック図である。
【図２】移動状態における検索範囲の例を示す説明図である。
【図３】図２に例示する検索範囲に含まれる周辺情報を表示した例を示す説明図である。
【図４】停止状態における検索範囲の例を示す説明図である。
【図５】図４に例示する検索範囲に含まれる周辺情報を表示した例を示す説明図である。
【図６】第１の実施形態における周辺情報検索システムの動作例を示すシーケンス図である。
【図７】第１の実施形態における携帯端末の動作例を示すフローチャートである。
【図８】本発明の第２の実施形態における周辺情報検索システムの例を示すブロック図である。
【図９】第２の実施形態における携帯端末の動作例を示すフローチャートである。
【図１０】本発明の第３の実施形態における周辺情報検索システムの例を示すブロック図である。
【図１１】第３の実施形態における携帯端末の動作例を示すフローチャートである。
【図１２】本発明による周辺情報検索装置の最小構成例を示すブロック図である。
【図１３】本発明による周辺情報検索システムの最小構成例を示すブロック図である。
【図１４】本発明による周辺情報検索システムの他の最小構成例を示すブロック図である。
【図１５】本発明による携帯端末の最小構成例を示すブロック図である。
【図１６】本発明による携帯端末の他の最小構成例を示すブロック図である。
【発明を実施するための形態】
【００２４】
以下、本発明の実施形態を図面を参照して説明する。
【００２５】
実施形態１．
図１は、本発明の第１の実施形態における周辺情報検索システムの例を示すブロック図である。本実施形態における周辺情報検索システムは、携帯端末１０と、周辺情報検索システム２０とを備えている。携帯端末１０と、周辺情報検索システム２０とは、通信網３０を介して相互に接続される。
【００２６】
携帯端末１０は、利用者が携帯する端末装置である。携帯端末１０は、情報管理手段１１と、通信手段１２と、ＧＰＳセンサ１３と、加速度センサ１４と、電子コンパス１５と、表示装置１６とを備えている。
【００２７】
ＧＰＳセンサ１３は、利用者の位置を示す情報（以下、位置情報と記す。）を検知する。なお、本実施形態では、ＧＰＳセンサを用いて利用者の位置情報を検知する場合について説明する。ただし、利用者の位置情報を検知できる手段であれば、ＧＰＳセンサ以外の他のセンサを用いてもよい。
【００２８】
加速度センサ１４は、利用者の移動状態を認定する。具体的には、加速度センサ１４は、利用者が移動中か停止中かの行動推定を行うための加速度情報等を検知する。加速度センサ１４は、予め定めた時間継続して加速度が０である場合、利用者が移動していない状態（すなわち、停止状態）であると認定してもよい。なお、本実施形態では、加速度センサを用いて利用者の移動状態を認定する場合について説明する。ただし、利用者の移動状態を認定できる手段であれば、加速度センサ以外の他のセンサを用いてもよい。
【００２９】
電子コンパス１５は、利用者の向いている方角を示す情報（以下、方角情報と記す。）を検知する。具体的には、電子コンパス１５は、利用者が携帯する携帯端末１０が向いている方角を検知する。なお、正しく利用者の向いている方角を電子コンパス１５に検知させるため、予め定めた向きで携帯端末１０を利用者に持たせるようにすればよい。なお、本実施形態では、電子コンパスを用いて利用者の方角情報を検知する場合について説明する。ただし、利用者の方角情報を検知できる手段であれば、電子コンパス以外の他の手段を用いてもよい。
【００３０】
情報管理手段１１は、利用者の行動推定を行い、周辺情報検索システム２０に周辺情報を検索させる条件（以下、検索条件と記す。）を作成する。検索条件には、少なくとも、利用者の位置情報が含まれる。
【００３１】
具体的には、情報管理手段１１は、加速度センサ１４が検知した加速度情報により、利用者（より詳しくは、携帯端末１０）が一定の時間内において移動していると推定した場合、周辺情報検索システム２０に位置情報を送信する。一方、情報管理手段１１は、加速度センサ１４が検知した加速度情報により、利用者（より詳しくは、携帯端末１０）が一定の時間内において停止していると推定した場合、位置情報および電子コンパス１５が検知した方角情報を周辺情報検索システム２０に送信する。
【００３２】
すなわち、情報管理手段１１は、利用者が移動していない状態（すなわち、停止状態）であると加速度センサ１４が認定した場合、位置情報および電子コンパス１５が検知した方角情報を検索条件として周辺情報検索システム２０に送信する。
【００３３】
また、情報管理手段１１は、周辺情報検索システム２０が検索した周辺情報の検索結果（以下、周辺情報検索結果と記す。）を表示装置１６に表示させる。なお、情報管理手段１１は、プログラムに従って動作するコンピュータのＣＰＵによって実現される。例えば、プログラムは、携帯端末１０の記憶部（図示せず）に記憶され、ＣＰＵは、そのプログラムを読み込み、プログラムに従って、情報管理手段１１として動作してもよい。
【００３４】
通信手段１２は、情報管理手段１１が作成した検索条件を周辺情報検索システム２０に送信する。また、通信手段１２は、周辺情報検索システム２０から受信した周辺情報検索結果を情報管理手段１１に通知する。
【００３５】
表示装置１６は、周辺情報検索システム２０から受信した周辺情報の検索結果を表示する。表示装置１６は、例えば、液晶ディスプレイなどにより実現される。なお、表示装置１６が表示する周辺情報の内容については後述する。
【００３６】
周辺情報検索システム２０は、携帯端末１０からの要求に基づいて、利用者の周辺情報を検索する。周辺情報検索システム２０は、情報検索手段２１と、通信手段２２と、周辺情報データベース記憶部（以下、周辺情報ＤＢと記す。）２３とを含む。
【００３７】
通信手段２２は、携帯端末１０から受信した情報を情報検索手段２１に通知する。また、通信手段２２は、情報検索手段２１による周辺情報の検索結果を、通信網３０を介して携帯端末１０に送信する。
【００３８】
周辺情報ＤＢ２３は、利用者に提供する情報を、その情報の位置情報と対応づけて記憶する。利用者に提供する情報として、例えば、飲食店など商業施設や公共施設が挙げられる。また、周辺情報ＤＢ２３は、警察や自治体職員に提供する情報として、事故現場などの情報を記憶してもよい。さらに、利用者に提供する情報には、展示施設や店舗施設における展示物や商品の説明が含まれていてもよい。なお、利用者に提供する情報およびその情報の位置情報は、管理者などにより予め周辺情報ＤＢ２３に記憶される。
【００３９】
情報検索手段２１は、携帯端末１０から受信した検索条件に基づいて周辺情報を検索する検索範囲を決定する。そして、情報検索手段２１は、その検索範囲に含まれる周辺情報を検索する。
【００４０】
具体的には、情報検索手段２１は、携帯端末１０から位置情報を含む検索条件を受信すると、その位置情報に基づいて検索範囲を決定し、その検索範囲に含まれる周辺情報を検索する。その際、情報検索手段２１は、受信した位置情報が示す位置から予め定めた距離までの範囲を検索範囲と決定してもよい。図２は、移動状態における検索範囲の例を示す説明図である。図２に示す例では、携帯端末１０から受信した位置情報が示す端末位置から半径１００ｍの範囲を周辺情報の検索範囲と決定したことを示す。この場合、情報検索手段２１は、決定した検索範囲に含まれる周辺情報を周辺情報ＤＢ２３から検索し、検索結果を通信手段２２に通知する。
【００４１】
図３は、図２に例示する検索範囲に含まれる周辺情報を表示装置１６が表示した例を示す説明図である。図３に例示する携帯端末画面イメージは、表示装置１６が表示する内容の例であり、周辺情報が示す施設とその施設までの距離を示している。図２の例に示す検索範囲は端末位置を中心とする半径１００ｍの範囲であり、その検索範囲には、端末位置から３０ｍの位置に駅が存在し、端末位置から８５ｍの位置に居酒屋が存在していることを示す。
【００４２】
また、情報検索手段２１は、携帯端末１０から位置情報および方角情報を含む検索条件を受信すると（すなわち、携帯端末１０が停止状態の場合）、その方角情報が示す方角の検索範囲が他の方角よりも広くなるように検索範囲を決定する。具体的には、情報検索手段２１は、受信した位置情報が示す位置から、予め定めた距離よりも方角情報が示す方角へ予め定めた長さだけ長くした距離までの範囲を検索範囲と決定してもよい。
【００４３】
図４は、停止状態における検索範囲の例を示す説明図である。図４に示す例では、方角情報が示す方角を長軸とし、その長軸に対して垂直方向を短軸とする楕円を検索範囲として決定したことを示す。図４に例示する検索範囲は、短径を１００ｍ、長径を２００ｍとする楕円で示される範囲であり、端末位置は、長軸上で方角情報が示す方角とは反対方向に１００ｍ移動した点に相当する。この場合も、情報検索手段２１は、決定した検索範囲に含まれる周辺情報を周辺情報ＤＢ２３から検索し、検索結果を通信手段２２に通知する。
【００４４】
図５は、図４に例示する検索範囲に含まれる周辺情報を表示装置１６が表示した例を示す説明図である。図５に例示する携帯端末画面イメージも、図３と同様、表示装置１６が表示する内容の例であり、周辺情報が示す施設とその施設までの距離を示している。図４に例示する検索範囲は、図２に例示する検索範囲よりに比べ、方角情報が示す方角の検索範囲が他の方角よりも広い。そのため、図３に例示する周辺情報には端末位置から２４０ｍの位置に存在するコンビニエンスストア（コンビニ）が含まれないが、図５に例示する周辺情報には含まれるようになる。
【００４５】
このように、本実施形態では、携帯端末１０のセンサ（例えば、ＧＰＳセンサ１３、加速度センサ１４、電子コンパス１５）と、そのセンサにより検知された情報から推定される人の動きに注目している。具体的には、利用者が停止状態である場合、利用者は目的地を決めておらず、より広範囲の情報を求めていると仮定する。そこで、利用者の動きと、周辺情報を検索する範囲との同期をとることで、操作性と通信効率の最適化を図っている。
【００４６】
情報検索手段２１は、プログラム（周辺情報検索プログラム）に従って動作するコンピュータのＣＰＵによって実現される。例えば、プログラムは、周辺情報検索システム２０を実現するサーバ装置の記憶部（図示せず）に記憶され、ＣＰＵは、そのプログラムを読み込み、プログラムに従って、情報検索手段２１として動作してもよい。
【００４７】
次に、動作について説明する。図６は、本実施形態における周辺情報検索システムの動作例を示すシーケンス図である。まず、ＧＰＳセンサ１３が取得した位置情報を情報管理手段１１に通知する（ステップＳ１）。さらに、加速度センサ１４が取得したセンサ情報（具体的には、加速度情報）を情報管理手段１１に通知する（ステップＳ２）。
【００４８】
初めに、利用者が移動中に周辺情報を検索する場合（すなわち、利用者が移動状態にある場合）の動作について説明する。情報管理手段１１は、加速度センサ１４が取得したセンサ情報をもとに行動情報の推定を行い、利用者が移動状態であると認定する（ステップＳ３）。そして、情報管理手段１１は、周辺情報検索システム２０（より具体的には、情報検索手段２１）に位置情報を送信する（ステップＳ４）。
【００４９】
情報検索手段２１は、受信した位置情報に基づいて検索範囲を決定し、エリア情報ＤＢ２３を検索して、検索範囲に含まれる周辺情報を取得する（ステップＳ５）。そして、情報検索手段２１は、取得した周辺情報を携帯端末１０（より詳しくは、情報管理手段１１）に送信する（ステップＳ６）。情報管理手段１１は、周辺情報を受信すると、その周辺情報を表示手段１６に表示させる（ステップＳ７）。
【００５０】
次に、利用者が停止中に周辺情報を検索する場合（すなわち、利用者が停止状態にある場合）の動作について説明する。情報管理手段１１に位置情報およびセンサ情報が通知される動作については、ステップＳ１〜ステップＳ２と同様である。
【００５１】
情報管理手段１１は、加速度センサ１４が取得したセンサ情報をもとに行動情報の推定を行い、利用者が停止状態であると認定する（ステップＳ８）。このとき、電子コンパス１５は、取得した方角情報を情報管理手段１１に通知する（ステップＳ９）。そして、情報管理手段１１は、周辺情報検索システム２０（より具体的には、情報検索手段２１）に位置情報および方角情報を送信する（ステップＳ１０）。
【００５２】
情報検索手段２１は、受信した位置情報および方角情報に基づいて検索範囲を決定し、エリア情報ＤＢ２３を検索して、検索範囲に含まれる周辺情報を取得する（ステップＳ１１）。そして、情報検索手段２１は、取得した周辺情報を携帯端末１０（より詳しくは、情報管理手段１１）に送信する（ステップＳ１２）。情報管理手段１１は、周辺情報を受信すると、その周辺情報を表示手段１６に表示させる（ステップＳ１３）。
【００５３】
次に、携帯端末１０の動作について詳しく説明する。図７は、本実施形態における携帯端末１０の動作例を示すフローチャートである。まず、情報管理手段１１は、ＧＰＳセンサ１３が検知した位置情報を取得する（ステップＳ７１）。次に、情報管理手段１１は、加速度センサ１４が検知した加速度情報を取得し（ステップＳ７２）、利用者が停止状態か否かを判断する（ステップＳ７３）。具体的には、情報管理手段１１は、予め設定された時間継続して加速度が０でない（すなわち、加速度が０、または、加速度が０であっても、その時間が予め設定された時間には達していない）場合、利用者が停止状態でないと判定する。
【００５４】
利用者が停止状態ではない場合（ステップＳ７３における「非停止状態」）、情報管理手段１１は、ステップＳ７２において取得した位置情報を通信手段１２に通知し、通信手段１２は、その位置情報を周辺情報検索システム２０に送信する（ステップＳ７４）。なお、加速度が０である時間が予め設定された時間には達していない場合、情報管理手段１１は、加速度が０である時間数を計測する。この計測結果は、ステップＳ７３において停止状態か否かを判定する際に利用される。
【００５５】
一方、ステップＳ７３において、利用者が停止状態の場合（ステップＳ７３における「停止状態」）、情報管理手段１１は、電子コンパス１５が検知した方角情報を取得する（ステップＳ７５）。そして、情報管理手段１１は、ステップＳ７２において取得した位置情報とステップＳ７５において取得した方角情報を通信手段１２に通知し、通信手段１２は、その位置情報および方角情報を周辺情報検索システム２０に送信する（ステップＳ７６）。
【００５６】
その後、通信手段１２が周辺情報検索システム２０から周辺情報の検索結果を受信すると（ステップＳ７７）、情報管理手段１１は、その周辺情報を表示手段１６に表示させる（ステップＳ７８）。その後、情報管理手段１１は、予め設定された時間（タイマ）数分、処理を中断する（ステップＳ７８）。以降、携帯端末１０は、ステップＳ７１から処理を繰り返す。
【００５７】
以上のように、本実施形態によれば、情報管理手段１１が、少なくともＧＰＳセンサ１３が検知した位置情報を周辺情報検索システム２０に送信する。そして、情報検索手段２１が、携帯端末１０から受信した位置情報に基づいて検索範囲を決定し、その検索範囲に含まれる周辺情報を検索する。さらに、加速度センサ１４が利用者の停止状態を認定した場合、電子コンパス１５が検知した方角情報および位置情報を周辺情報検索システム２０に送信する。そして、情報検索手段２１が、方角情報が示す方角の検索範囲が他の方角よりも広くなるように検索範囲を決定する。以上のような構成により、利用者が移動していない場合であっても、利用者に負担をかけることなく、適切な範囲の周辺情報を検索できる。
【００５８】
また、本実施形態によれば、周辺情報検索システム２０が携帯端末１０から位置情報を受信したときに、情報検索手段２１が、その位置情報に基づいて検索範囲を決定し、その検索範囲に含まれる周辺情報を検索する。そして、検索範囲を決定する際、周辺情報検索システム２０が携帯端末１０から方角情報を受信したときに、情報検索手段２１が、その方角情報が示す方角の検索範囲が他の方角よりも広くなるように検索範囲を決定する。そのような構成であっても、利用者が移動していない場合に、利用者に負担をかけることなく、適切な範囲の周辺情報を検索できる。
【００５９】
すなわち、本実施形態によれば、周辺情報の検索結果を表示した後、加速度センサ１４などにより人の移動がないと推定される場合、携帯端末１０が現在向いている方角（すなわち、電子コンパス１５が取得した方角情報が示す方角）の周辺情報の検索範囲を自動的に広げて取得する。そのため、ユーザ操作を伴うことなく、ユーザの行動に合致した周辺情報の再検索を行うことができる。
【００６０】
また、本実施形態によれば、検索範囲を拡大する際、人の向きによる情報の絞込みを自動で行う。よって、周辺情報の検索範囲を拡大する携帯端末側の操作が不要になるため、利用者の操作性が向上する。さらに、利用者の行動に合わせて周辺情報が検索されることになるため、回線の利用率も効率化できる。
【００６１】
実施形態２．
図８は、本発明の第２の実施形態における周辺情報検索システムの例を示すブロック図である。なお、第１の実施形態と同様の構成については、図１と同一の符号を付し、説明を省略する。本実施形態における周辺情報検索システムも、携帯端末１０と、周辺情報検索システム２０とを備えている。また、携帯端末１０と、周辺情報検索システム２０とは、通信網３０を介して相互に接続される。なお、周辺情報検索システム２０の内容は、第１の実施形態と同様である。
【００６２】
携帯端末１０は、情報管理手段１１ａと、通信手段１２と、ＧＰＳセンサ１３と、加速度センサ１４と、電子コンパス１５と、表示装置１６と、操作検知部１７とを備えている。
【００６３】
操作検知部１７は、利用者による携帯端末１０の操作の有無を検知する。
【００６４】
情報管理手段１１ａは、利用者が移動していない状態（すなわち、停止状態）であると加速度センサ１４が認定した場合であって、かつ、利用者が携帯端末１０を予め定めた時間内に操作していないと操作検知部１７が検知したときに、位置情報および方角情報を検索条件として周辺情報検索システム２０に送信する。すなわち、操作検知部１７が予め定めた期間操作を検知しなかった場合に、周辺情報検索システム２０（より詳しくは、情報検索手段２１）が、方角情報が示す方角の検索範囲が他の方角よりも広くなるように検索範囲を決定することになる。
【００６５】
なお、通信手段１２、ＧＰＳセンサ１３、加速度センサ１４、電子コンパス１５および表示装置１６については、第１の実施形態と同様である。また、情報管理手段１１ａは、プログラムに従って動作するコンピュータのＣＰＵによって実現される。
【００６６】
次に、動作について説明する。図９は、本実施形態における携帯端末１０の動作例を示すフローチャートである。なお、情報管理手段１１ａが位置情報および加速度情報を取得し、利用者が停止状態か否かを判断するまでの動作は、図７におけるステップＳ７１〜ステップＳ７３と同様である。
【００６７】
利用者が停止状態の場合（ステップＳ７３における「停止状態」）、情報管理手段１１ａは、利用者による携帯端末１０の操作の有無を操作検知部１７から取得し、利用者による携帯端末１０の操作の有無を判断する（ステップＳ８１）。利用者が予め定めた時間内に携帯端末１０を操作していない場合（ステップＳ８１における「操作なし」）、情報管理手段１１ａは、電子コンパス１５が検知した方角情報を取得し（ステップＳ７５）、位置情報および方角情報を通信手段１２に通知する。そして、通信手段１２は、その位置情報および方角情報を周辺情報検索システム２０に送信する（ステップＳ７６）。
【００６８】
一方、利用者が予め定めた時間内に携帯端末１０を操作していた場合（ステップＳ８１における「操作あり」）、情報管理手段１１ａは、位置情報を通信手段１２に通知し、通信手段１２は、その位置情報を周辺情報検索システム２０に送信する（ステップＳ７４）。
【００６９】
以降、周辺情報検索システム２０から周辺情報を受信してその周辺情報を表示手段１６に表示させるまでの処理は、図７におけるステップＳ７７〜ステップＳ７８と同様である。
【００７０】
以上のように、本実施形態によれば、操作検知部１７が予め定めた時間操作を検知しなかった場合に、位置情報および方角情報を検索条件として周辺情報検索システム２０に送信する。すなわち、利用者による操作が一定時間なく、かつ加速度センサ１４などにより人の移動がないと推定される場合、携帯端末１０が現在向いている方角（すなわち、電子コンパス１５が取得した方角情報が示す方角）へ周辺情報の検索範囲が自動的に広がることになる。そのため、第１の実施形態による効果に加え、利用者の操作を優先した情報検索を行うことが可能になる。
【００７１】
実施形態３．
次に、第３の実施形態について説明する。第１の実施形態における周辺情報検索システムでは、周辺情報検索システム２０側で検索範囲を決定する場合について説明した。本実施形態における周辺情報検索システムでは、携帯端末１０側で検索範囲を決定し、その検索範囲に基づいて周辺情報検索システム２０が周辺情報を検索する点において、第１の実施形態と異なる。
【００７２】
図１０は、本発明の第３の実施形態における周辺情報検索システムの例を示すブロック図である。なお、第１の実施形態と同様の構成については、図１と同一の符号を付し、説明を省略する。本実施形態における周辺情報検索システムも、携帯端末１０と、周辺情報検索システム２０とを備えている。また、携帯端末１０と、周辺情報検索システム２０とは、通信網３０を介して相互に接続される。
【００７３】
携帯端末１０は、情報管理手段１１ｂと、通信手段１２と、ＧＰＳセンサ１３と、加速度センサ１４と、電子コンパス１５と、表示装置１６とを備えている。なお、通信手段１２、ＧＰＳセンサ１３、加速度センサ１４、電子コンパス１５および表示装置１６については、第１の実施形態と同様である。
【００７４】
情報管理手段１１ｂは、周辺情報検索システム２０に周辺情報を検索させる検索範囲を決定する。具体的には、情報管理手段１１ｂは、加速度センサ１４が検知した加速度情報により、利用者（より詳しくは、携帯端末１０）が一定の時間内において移動していると推定した場合、ＧＰＳセンサ１３が検知した位置情報に基づいて検索範囲を決定する。このとき、情報管理手段１１ｂは、位置情報が示す位置から予め定めた距離までの範囲を検索範囲と決定してもよい。
【００７５】
一方、情報管理手段１１ｂは、加速度センサ１４が検知した加速度情報により、利用者（より詳しくは、携帯端末１０）が一定の時間内において停止していると推定した場合、位置情報および方角情報に基づいて、周辺情報を検索する検索範囲を、方角情報が示す方角の検索範囲が他の方角よりも広くなるように決定する。具体的には、情報管理手段１１ｂは、受信した位置情報が示す位置から、予め定めた距離よりも方角情報が示す方角へ予め定めた長さだけ長くした距離までの範囲を検索範囲と決定してもよい。
【００７６】
すなわち、本実施形態における情報管理手段１１ｂは、第１の実施形態における情報検索手段２１が検索範囲を決める処理と同様の処理を行う。なお、情報管理手段１１ｂは、プログラム（周辺情報検索プログラム）に従って動作するコンピュータのＣＰＵによって実現される。
【００７７】
周辺情報検索システム２０は、情報検索手段２１ｂと、通信手段２２と、周辺情報ＤＢ２３とを含む。なお、通信手段２２および周辺情報ＤＢ２３の内容は、第１の実施形態と同様である。
【００７８】
情報検索手段２１ｂは、携帯端末１０から受信した検索範囲に含まれる周辺情報を検索する。すなわち、本実施形態における情報検索手段２１ｂは、携帯端末１０から受信した検索範囲を周辺情報の検索に利用する点において第１の実施形態と異なる。なお、情報検索手段２１ｂは、プログラムに従って動作するコンピュータのＣＰＵによって実現される。
【００７９】
次に、動作について説明する。図１１は、本実施形態における携帯端末１０の動作例を示すフローチャートである。なお、情報管理手段１１ｂが位置情報および加速度情報を取得し、利用者が停止状態か否かを判断するまでの動作は、図７におけるステップＳ７１〜ステップＳ７３と同様である。
【００８０】
利用者が停止状態の場合（ステップＳ７３における「停止状態」）、情報管理手段１１ｂは、電子コンパス１５が検知した方角情報を取得する（ステップＳ７５）。次に、情報管理手段１１ｂは、位置情報および方角情報に基づいて検索範囲を決定し、決定した検索範囲を通信手段１２に通知する。そして、通信手段１２は、その検索範囲を周辺情報検索システム２０に送信する（ステップＳ９１）。
【００８１】
一方、利用者が停止状態でない場合（ステップＳ７３における「非停止状態」）、情報管理手段１１ｂは、位置情報に基づいて検索範囲を決定し、決定した検索範囲を通信手段１２に通知する。そして、通信手段１２は、その検索範囲を周辺情報検索システム２０に送信する（ステップＳ９２）。
【００８２】
以降、周辺情報検索システム２０から周辺情報を受信してその周辺情報を表示手段１６に表示させるまでの処理は、図７におけるステップＳ７７〜ステップＳ７８と同様である。
【００８３】
以上のように、本実施形態によれば、ＧＰＳセンサ１３が位置情報を検知し、情報管理手段１１ｂが、その位置情報に基づいて周辺情報を検索する検索範囲を決定する。そして、情報管理手段１１ｂが、周辺情報検索システム２０に検索範囲を送信する。また、加速度センサ１４が利用者の停止状態を認定した場合、電子コンパス１５が方角情報を検知する。そして、情報管理手段１１ｂが、位置情報および方角情報に基づき、方角情報が示す方角の検索範囲が他の方角よりも広くなるように検索範囲を決定する。以上のような構成により、利用者が移動していない場合であっても、利用者に負担をかけることなく、適切な範囲の周辺情報を検索できる。
【００８４】
なお、本実施形態における携帯端末１０が、第２の実施形態に例示する操作検知部１７を備えていてもよい。この場合、情報管理手段１１ｂは、予め定めた期間操作検知部１７が操作を検知しなかった場合に、位置情報および方角情報に基づき、方角情報が示す方角の検索範囲が他の方角よりも広くなるように検索範囲を決定してもよい。
【００８５】
次に、本発明の最小構成の例を説明する。図１２は、本発明による周辺情報検索装置の最小構成例を示すブロック図である。本発明における周辺情報検索装置７０（例えば、周辺情報検索システム２０）は、携帯端末から利用者の位置を示す情報である位置情報を受信したときに、その位置情報に基づいて周辺情報を検索する検索範囲を決定し（例えば、予め定めた距離までの範囲を検索範囲と決定し）、その検索範囲に含まれる周辺情報を検索する周辺情報検索手段７１を備えている。
【００８６】
周辺情報検索手段７１は、携帯端末から利用者の向いている方角を示す情報である方角情報を受信したときに、その方角情報が示す方角の検索範囲が他の方角よりも広くなるように検索範囲を決定する。
【００８７】
以上のような構成により、利用者が移動していない場合であっても、利用者に負担をかけることなく、適切な範囲の周辺情報を検索できる。
【００８８】
図１３は、本発明による周辺情報検索システムの最小構成例を示すブロック図である。本発明による周辺情報検索システムは、携帯端末８０（例えば、携帯端末１０）と、携帯端末１０からの要求に基づいて利用者の周辺情報を検索する周辺情報検索装置９０（例えば、周辺情報検索システム２０）とを備えている。
【００８９】
携帯端末８０は、利用者の位置を示す情報である位置情報を検知する位置検知手段８１（例えば、ＧＰＳセンサ１３）と、利用者の移動状態（例えば、移動状態、停止状態）を認定する移動状態認定手段８２（例えば、加速度センサ１４）と、利用者の向いている方角を示す情報である方角情報を検知する方角検知手段８３（例えば、電子コンパス１５）と、少なくとも位置情報を周辺情報検索装置９０に送信する情報送信手段８４（例えば、情報管理手段１１および通信手段１２）とを備えている。
【００９０】
周辺情報検索装置９０は、携帯端末８０から受信した位置情報に基づいて周辺情報を検索する検索範囲を決定し、その検索範囲に含まれる周辺情報を検索する周辺情報検索手段９１を含む。
【００９１】
携帯端末８０の情報送信手段８４は、利用者が移動していない状態である停止状態を移動状態認定手段８２が認定した場合、位置情報および方角情報を周辺情報検索装置９０に送信する。
【００９２】
周辺情報検索装置９０の周辺情報検索手段９１は、方角情報が示す方角の検索範囲が他の方角よりも広くなるように検索範囲を決定する（例えば、受信した位置情報が示す位置から、予め定めた距離よりも方角情報が示す方角へ予め定めた長さだけ長くした距離までの範囲を検索範囲と決定する）。
【００９３】
図１４は、本発明による周辺情報検索システムの他の最小構成例を示すブロック図である。図１４に例示する周辺情報検索システムも、携帯端末８０（例えば、携帯端末１０）と、携帯端末１０からの要求に基づいて利用者の周辺情報を検索する周辺情報検索装置９０（例えば、周辺情報検索システム２０）とを備えている。
【００９４】
携帯端末８０は、位置検知手段８１（例えば、ＧＰＳセンサ１３）と、移動状態認定手段８２（例えば、加速度センサ１４）と、方角検知手段８３（例えば、電子コンパス１５）と、少なくとも位置情報に基づいて、周辺情報を検索する検索範囲を決定する検索範囲決定手段８５（例えば、情報管理手段１１ｂ）と、検索範囲を周辺情報検索装置９０に送信する検索範囲送信手段８６（例えば、通信手段１２）とを含む。
【００９５】
周辺情報検索装置９０は、携帯端末８０から受信した検索範囲に含まれる周辺情報を検索する検索手段９２（例えば、情報検索手段２１ｂ）を含む。
【００９６】
携帯端末８０の検索範囲決定手段８５は、利用者が移動していない状態である停止状態を移動状態認定手段８２が認定した場合、位置情報および方角情報に基づき、方角情報が示す方角の検索範囲が他の方角よりも広くなるように検索範囲を決定する。なお、位置検知手段８１、移動状態認定手段８２および方角検知手段８３については、図１３に例示する内容と同様である。
【００９７】
図１３及び図１４に例示する構成であっても、利用者が移動していない場合に、利用者に負担をかけることなく、適切な範囲の周辺情報を検索できる。
【００９８】
図１５は、本発明による携帯端末の最小構成例を示すブロック図である。本発明における携帯端末６０（例えば、携帯端末１０）は、位置検知手段８１（例えば、ＧＰＳセンサ１３）と、移動状態認定手段８２（例えば、加速度センサ１４）と、方角検知手段８３（例えば、電子コンパス１５）と、他の装置から受信した位置情報に基づいて利用者の周辺情報を検索する周辺情報検索装置（例えば、周辺情報検索システム２０）に少なくとも位置情報を送信する情報送信手段８７（例えば、情報管理手段１１および通信手段１２）とを備えている。
【００９９】
また、情報送信手段８７は、利用者が移動していない状態である停止状態を移動状態認定手段８２が認定した場合、位置情報および方角情報を周辺情報検索装置に送信する。なお、位置検知手段８１、移動状態認定手段８２および方角検知手段８３については、図１３に例示する内容と同様である。
【０１００】
図１６は、本発明による携帯端末の他の最小構成例を示すブロック図である。本発明における携帯端末５０（例えば、携帯端末１０）は、位置検知手段８１（例えば、ＧＰＳセンサ１３）と、移動状態認定手段８２（例えば、加速度センサ１４）と、方角検知手段８３（例えば、電子コンパス１５）と、検索範囲決定手段８５（例えば、情報管理手段１１ｂ）と、検索範囲送信手段８６（例えば、通信手段１２）とを備えている。これらの内容は、図１４に例示する携帯端末８０の内容と同様である。
【０１０１】
図１５及び図１６に例示する構成により、利用者が移動していない場合であっても、利用者に負担をかけることなく、適切な範囲の周辺情報を検索できる。
【０１０２】
上記の実施形態の一部又は全部は、以下の付記のようにも記載されうるが、以下には限られない。
【０１０３】
（付記１）携帯端末から利用者の位置を示す情報である位置情報を受信したときに、当該位置情報に基づいて周辺情報を検索する検索範囲を決定し、当該検索範囲に含まれる周辺情報を検索する周辺情報検索手段を備え、前記周辺情報検索手段は、前記携帯端末から利用者の向いている方角を示す情報である方角情報を受信したときに、当該方角情報が示す方角の検索範囲が他の方角よりも広くなるように検索範囲を決定することを特徴とする周辺情報検索装置。
【０１０４】
（付記２）周辺情報検索手段は、携帯端末から位置情報を受信したときに、受信した位置情報が示す位置から予め定めた距離までの範囲を検索範囲と決定し、携帯端末から方角情報および位置情報を受信したときに、受信した位置情報が示す位置から、予め定めた距離よりも方角情報が示す方角へ予め定めた長さだけ長くした距離までの範囲を検索範囲と決定する付記１記載の周辺情報検索装置。
【０１０５】
（付記３）携帯端末と、前記携帯端末からの要求に基づいて利用者の周辺情報を検索する周辺情報検索装置とを備え、前記携帯端末は、利用者の位置を示す情報である位置情報を検知する位置検知手段と、利用者の移動状態を認定する移動状態認定手段と、利用者の向いている方角を示す情報である方角情報を検知する方角検知手段と、少なくとも前記位置情報を前記周辺情報検索装置に送信する情報送信手段とを含み、前記周辺情報検索装置は、前記携帯端末から受信した位置情報に基づいて周辺情報を検索する検索範囲を決定し、当該検索範囲に含まれる周辺情報を検索する周辺情報検索手段を含み、前記携帯端末の情報送信手段は、利用者が移動していない状態である停止状態を前記移動状態認定手段が認定した場合、前記位置情報および前記方角情報を前記周辺情報検索装置に送信し、前記周辺情報検索装置の周辺情報検索手段は、前記方角情報が示す方角の検索範囲が他の方角よりも広くなるように検索範囲を決定することを特徴とする周辺情報検索システム。
【０１０６】
（付記４）携帯端末は、利用者による自携帯端末の操作の有無を検知する操作検知手段を備え、携帯端末の情報送信手段は、停止状態を移動状態認定手段が認定し、予め定めた期間前記操作検知手段が操作を検知しなかった場合に、位置情報および方角情報を周辺情報検索装置に送信する付記３記載の周辺情報検索システム。
【０１０７】
（付記５）携帯端末と、前記携帯端末からの要求に基づいて利用者の周辺情報を検索する周辺情報検索装置とを備え、前記携帯端末は、利用者の位置を示す情報である位置情報を検知する位置検知手段と、利用者の移動状態を認定する移動状態認定手段と、利用者の向いている方角を示す情報である方角情報を検知する方角検知手段と、少なくとも前記位置情報に基づいて、周辺情報を検索する検索範囲を決定する検索範囲決定手段と、前記検索範囲を前記周辺情報検索装置に送信する検索範囲送信手段とを含み、前記周辺情報検索装置は、前記携帯端末から受信した検索範囲に含まれる周辺情報を検索する検索手段を含み、前記携帯端末の検索範囲決定手段は、利用者が移動していない状態である停止状態を前記移動状態認定手段が認定した場合、前記位置情報および方角情報に基づき、前記方角情報が示す方角の検索範囲が他の方角よりも広くなるように検索範囲を決定することを特徴とする周辺情報検索システム。
【０１０８】
（付記６）携帯端末は、利用者による自携帯端末の操作の有無を検知する操作検知手段を備え、携帯端末の検索範囲決定手段は、予め定めた期間前記操作検知手段が操作を検知しなかった場合に、位置情報および方角情報に基づき、方角情報が示す方角の検索範囲が他の方角よりも広くなるように検索範囲を決定する付記５記載の周辺情報検索システム。
【０１０９】
（付記７）携帯端末から利用者の位置を示す情報である位置情報を受信したときに、当該位置情報に基づいて周辺情報を検索する検索範囲を決定し、前記検索範囲を決定する際、前記携帯端末から利用者の向いている方角を示す情報である方角情報を受信したときに、当該方角情報が示す方角の検索範囲が他の方角よりも広くなるように検索範囲を決定し、前記検索範囲に含まれる周辺情報を検索することを特徴とする周辺情報検索方法。
【０１１０】
（付記８）携帯端末が、少なくとも利用者の位置を示す情報である位置情報を検知して、利用者の周辺情報を検索する周辺情報検索装置に当該位置情報を送信し、前記周辺情報検索装置が、前記携帯端末から受信した位置情報に基づいて周辺情報を検索する検索範囲を決定し、前記周辺情報検索装置が、前記検索範囲に含まれる周辺情報を検索し、前記携帯端末が、利用者が移動していない状態である停止状態を認定した場合、利用者の向いている方角を示す情報である方角情報を検知して、当該方角情報および前記位置情報を前記周辺情報検索装置に送信し、前記周辺情報検索装置が、前記方角情報が示す方角の検索範囲が他の方角よりも広くなるように検索範囲を決定することを特徴とする周辺情報検索方法。
【０１１１】
（付記９）携帯端末が、停止状態を認定し、予め定めた期間操作を検知しなかった場合に、位置情報および方角情報を周辺情報検索装置に送信する付記８記載の周辺情報検索方法。
【０１１２】
（付記１０）少なくとも利用者の位置を示す情報である位置情報を検知し、前記位置情報に基づいて周辺情報を検索する検索範囲を決定し、他の装置からの要求に基づいて利用者の周辺情報を検索する周辺情報検索装置に前記検索範囲を送信し、利用者が移動していない状態である停止状態を認定した場合、利用者の向いている方角を示す情報である方角情報を検知し、前記位置情報および方角情報に基づき、前記方角情報が示す方角の検索範囲が他の方角よりも広くなるように検索範囲を決定することを特徴とする周辺情報検索方法。
【０１１３】
（付記１１）予め定めた期間操作が検知されなかった場合に、位置情報および方角情報に基づき、方角情報が示す方角の検索範囲が他の方角よりも広くなるように検索範囲を決定する付記１０記載の周辺情報検索方法。
【０１１４】
（付記１２）利用者の位置を示す情報である位置情報を検知する位置検知手段と、利用者の移動状態を認定する移動状態認定手段と、利用者の向いている方角を示す情報である方角情報を検知する方角検知手段と、他の装置から受信した位置情報に基づいて利用者の周辺情報を検索する周辺情報検索装置に少なくとも前記位置情報を送信する情報送信手段とを備え、前記情報送信手段は、利用者が移動していない状態である停止状態を前記移動状態認定手段が認定した場合、前記位置情報および前記方角情報を前記周辺情報検索装置に送信することを特徴とする携帯端末。
【０１１５】
（付記１３）利用者による自携帯端末の操作の有無を検知する操作検知手段を備え、前記情報送信手段は、停止状態を移動状態認定手段が認定し、予め定めた期間前記操作検知手段が操作を検知しなかった場合に、位置情報および方角情報を周辺情報検索装置に送信する付記１２記載の携帯端末。
【０１１６】
（付記１４）利用者の位置を示す情報である位置情報を検知する位置検知手段と、利用者の移動状態を認定する移動状態認定手段と、利用者の向いている方角を示す情報である方角情報を検知する方角検知手段と、少なくとも前記位置情報に基づいて周辺情報を検索する検索範囲を決定する検索範囲決定手段と、他の装置からの要求に基づいて利用者の周辺情報を検索する周辺情報検索装置に前記検索範囲を送信する検索範囲送信手段とを備え、前記検索範囲決定手段は、利用者が移動していない状態である停止状態を前記移動状態認定手段が認定した場合、前記位置情報および方角情報に基づき、前記方角情報が示す方角の検索範囲が他の方角よりも広くなるように検索範囲を決定することを特徴とする携帯端末。
【０１１７】
（付記１５）利用者による自携帯端末の操作の有無を検知する操作検知手段を備え、前記検索範囲決定手段は、予め定めた期間前記操作検知手段が操作を検知しなかった場合に、位置情報および方角情報に基づき、方角情報が示す方角の検索範囲が他の方角よりも広くなるように検索範囲を決定する付記１４記載の携帯端末。
【０１１８】
（付記１６）コンピュータに、携帯端末から利用者の位置を示す情報である位置情報を受信したときに、当該位置情報に基づいて周辺情報を検索する検索範囲を決定し、当該検索範囲に含まれる周辺情報を検索する周辺情報検索処理を実行させ、前記周辺情報検索処理で、前記携帯端末から利用者の向いている方角を示す情報である方角情報を受信したときに、当該方角情報が示す方角の検索範囲が他の方角よりも広くなるように検索範囲を決定させるための周辺情報検索プログラム。
【０１１９】
（付記１７）コンピュータに、少なくとも利用者の位置を示す情報である位置情報に基づいて周辺情報を検索する検索範囲を決定する検索範囲決定処理、および、他の装置からの要求に基づいて利用者の周辺情報を検索する周辺情報検索装置に前記検索範囲を送信する検索範囲送信処理を実行させ、前記検索範囲決定処理で、利用者が移動していない状態である停止状態を認定した場合、前記位置情報および方角情報に基づき、前記方角情報が示す方角の検索範囲が他の方角よりも広くなるように検索範囲を決定させるための周辺情報検索プログラム。
【０１２０】
（付記１８）コンピュータに、検索範囲決定処理で、予め定めた期間操作が検知されなかった場合に、位置情報および方角情報に基づき、方角情報が示す方角の検索範囲が他の方角よりも広くなるように検索範囲を決定させる付記１７記載の周辺情報検索プログラム。
【産業上の利用可能性】
【０１２１】
本発明は、携帯端末等の利用者に提供する周辺情報を検索する周辺情報検索装置に好適に適用される。
【符号の説明】
【０１２２】
１０  携帯端末
１１，１１ａ，１１ｂ  情報管理手段
１２，２２  通信手段
１３  ＧＰＳセンサ
１４  加速度センサ
１５  電子コンパス
１６  表示手段
１７  操作検知部
２１，２１ｂ  情報検索手段
２３  周辺情報データベース記憶部
３０  通信網
【図１】
0005531989.tif 000002
【図２】
0005531989.tif 000003
【図３】
0005531989.tif 000004
【図４】
0005531989.tif 000005
【図５】
0005531989.tif 000006
【図６】
0005531989.tif 000007
【図７】
0005531989.tif 000008
【図８】
0005531989.tif 000009
【図９】
0005531989.tif 000010
【図１０】
0005531989.tif 000011
【図１１】
0005531989.tif 000012
【図１２】
0005531989.tif 000013
【図１３】
0005531989.tif 000014
【図１４】
0005531989.tif 000015
【図１５】
0005531989.tif 000016
【図１６】
0005531989.tif 000017